(57)【要約】【課題】ＥＴＣ車載器のＩＣカード等の事前登録を必要とすることなく、入出場時に車両を一旦停止させることのない駐車場管理システムを提供する。【解決手段】入場時にＥＴＣ車載器からＷＣＮを受信して、既に登録されていれば入場ゲート１２を開放する。ＷＣＮが登録されていない場合には、携帯ＩＤ番号を読込みＷＣＮに関連付けて記憶すると共に、ＷＣＮを登録する。その後に、入場ゲート１２を開放する。そして、例えば、携帯電話等によりインターネットを介して精算用ウェブサイトにアクセスして車両出場前に事前に駐車料金の精算を行った後に、車両を出場ゲート１３に移動させる。出場ゲート１３付近においては、まずＷＣＮを受信して、受信したＷＣＮに関連付けられた携帯ＩＤ番号に基づき事前精算が行われていれば、出場ゲート１３を開放する。【選択図】図２
2005227996.tif 000002
【特許請求の範囲】
【請求項１】
車両入場時に車両に搭載された車載送信機若しくは乗員が携帯する携帯品から送信されるＩＤ番号を受信する入場ＩＤ受信手段と、
前記入場ＩＤ受信手段により受信した前記ＩＤ番号が既登録番号であるか否かの判定を行う登録判定手段と、
前記登録判定手段により前記ＩＤ番号が既登録番号でないと判定された場合には前記ＩＤ番号を登録するＩＤ登録手段と、
前記登録判定手段により前記ＩＤ番号が既登録番号であると判定された場合若しくは前記ＩＤ登録手段により前記ＩＤ番号が登録された場合には入場ゲートを開放する入場ゲート開放手段と、
前記ＩＤ番号の入力により駐車料金を車両出場前に精算可能な事前精算手段と、
車両出場時に前記車載送信機若しくは前記携帯品から送信される前記ＩＤ番号を受信する出場ＩＤ受信手段と、
前記出場ＩＤ受信手段により受信した前記ＩＤ番号に基づき前記事前精算手段により精算済みであるか否かの判定を行う精算済み判定手段と、
前記精算済み判定手段により精算済みであると判定された場合には出場ゲートを開放する出場ゲート開放手段と、
を備えたことを特徴とする駐車場管理システム。
【請求項２】
前記ＩＤ番号は、車両に搭載されたＥＴＣ車載器のＷＣＮ番号であることを特徴とする請求項１記載の駐車場管理システム。
【請求項３】
車両入場時に車両に搭載されたＥＴＣ車載器から送信されたＷＣＮ番号を受信する入場ＷＣＮ受信手段と、
前記ＷＣＮ番号が既登録番号であるか否かの判定を行う登録判定手段と、
前記登録判定手段により前記ＷＣＮ番号が既登録番号でないと判定された場合には乗員が備える携帯品の携帯ＩＤ番号を読み取ると共に前記ＷＣＮ番号に関連付けて前記携帯ＩＤ番号を記憶する携帯ＩＤ読取記憶手段と、
前記登録判定手段により前記ＷＣＮ番号が既登録番号でないと判定された場合には前記ＷＣＮ番号を登録するＷＣＮ登録手段と、
前記登録判定手段により前記ＷＣＮ番号が既登録番号であると判定された場合若しくは前記ＷＣＮ登録手段により前記ＷＣＮ番号が登録された場合には入場ゲートを開放する入場ゲート開放手段と、
前記携帯ＩＤ番号の入力により駐車料金を車両出場前に精算可能な事前精算手段と、
車両出場時に前記ＥＴＣ車載器から送信された前記ＷＣＮ番号を受信する出場ＷＣＮ受信手段と、
前記出場ＷＣＮ受信手段により受信した前記ＷＣＮ番号に関連付けられた前記携帯ＩＤ番号に基づき前記事前精算手段により精算済みであるか否かの判定を行う精算済み判定手段と、
前記精算済み判定手段により精算済みであると判定された場合には出場ゲートを開放する出場ゲート開放手段と、
を備えたことを特徴とする駐車場管理システム。
【請求項４】
前記携帯品は、乗員が携帯する携帯端末であることを特徴とする請求項１又は３記載の駐車場管理システム。
【請求項５】
前記事前精算手段は、ネットワークを介してアクセス可能な精算用ウェブサイトにて前記携帯端末により前記駐車料金を精算可能であることを特徴とする請求項４記載の駐車場管理システム。
【請求項６】
車両入場時に車両に搭載されたＥＴＣ車載器から送信されたＷＣＮ番号を受信する入場ＷＣＮ受信手段と、
前記ＷＣＮ番号が既登録番号であるか否かの判定を行う登録判定手段と、
前記登録判定手段により前記ＷＣＮ番号が既登録番号でないと判定された場合にはＩＤ番号が付された駐車券を発券する駐車券発券手段と、
前記登録判定手段により前記ＷＣＮ番号が既登録番号でないと判定された場合には前記ＷＣＮ番号を登録するＷＣＮ登録手段と、
前記登録判定手段により前記ＷＣＮ番号が既登録番号であると判定された場合若しくは前記ＷＣＮ登録手段により前記ＷＣＮ番号が登録された場合には入場ゲートを開放する入場ゲート開放手段と、
ネットワークを介してアクセス可能な精算用ウェブサイトにて乗員が携帯する携帯端末により前記ＩＤ番号を入力して駐車料金を車両出場前に精算可能な事前精算手段と、
車両出場時に前記ＥＴＣ車載器から送信された前記ＷＣＮ番号を受信する出場ＷＣＮ受信手段と、
前記出場ＷＣＮ受信手段により受信した前記ＷＣＮ番号に関連付けられた前記ＩＤ番号に基づき前記事前精算手段により精算済みであるか否かの判定を行う精算済み判定手段と、
前記精算済み判定手段により精算済みであると判定された場合には出場ゲートを開放する出場ゲート開放手段と、
を備えたことを特徴とする駐車場管理システム。
【請求項７】
前記携帯端末は、前記ＩＤ番号若しくは前記携帯ＩＤ番号の入力により決済可能な決済機能を有する携帯端末であることを特徴とする請求項５又は６記載の駐車場管理システム。
【請求項８】
前記事前精算手段は、前記携帯端末から入力された前記ＩＤ番号若しくは前記携帯ＩＤ番号を記憶するサイトＩＤ記憶手段を備えたことを特徴とする請求項５又は６記載の駐車場管理システム。
【請求項９】
さらに、ネットワークを介してアクセス可能なウェブサイトにて前記携帯端末により前記ＩＤ番号若しくは前記携帯ＩＤ番号が入力されて入場時刻の問い合わせを受ける入場時刻問い合わせ受信手段と、
前記ＩＤ番号若しくは前記携帯ＩＤ番号に対応する車両の入場時刻を前記携帯端末へ送信する入場時刻送信手段と、
を備えたことを特徴とする請求項４又は６記載の駐車場管理システム。
【請求項１０】
さらに、ネットワークを介してアクセス可能なウェブサイトにて前記携帯端末により前記ＩＤ番号若しくは前記携帯ＩＤ番号が入力されて駐車時間の問い合わせを受ける駐車時間問い合わせ受信手段と、
前記ＩＤ番号若しくは前記携帯ＩＤ番号に対応する車両の駐車時間を算出する駐車時間算出手段と、
算出された前記駐車時間を送信する駐車時間送信手段と、
を備えたことを特徴とする請求項４又は６記載の駐車場管理システム。
【請求項１１】
さらに、ネットワークを介してアクセス可能なウェブサイトにて前記携帯端末により前記ＩＤ番号若しくは前記携帯ＩＤ番号が入力されて駐車料金の問い合わせを受ける駐車料金問い合わせ受信手段と、
前記駐車料金の問い合わせを受けた場合に前記ＩＤ番号若しくは前記携帯ＩＤ番号に対応する車両の駐車料金を算出する駐車料金算出手段と、
算出された前記駐車料金を前記携帯端末へ送信する駐車料金送信手段と、
を備えたことを特徴とする請求項４又は６記載の駐車場管理システム。
【請求項１２】
前記事前精算手段は、駐車料金割引カードのカード番号を入力して駐車料金を割引精算可能な割引精算手段を備えたことを特徴とする請求項１、３又は６記載の駐車場管理システム。
【請求項１３】
前記事前精算手段は、駐車場内に配設された事前精算機であることを特徴とする請求項１又は３記載の駐車場管理システム。
【発明の詳細な説明】
【技術分野】
【０００１】
本発明は、駐車場管理システムに関するものである。
【背景技術】
【０００２】
従来の駐車場においては、車両入場時に車両を一旦停止させて発券される駐車券を受け取り、車両出場時にも再度車両を一旦停止させて駐車券を渡すと同時に駐車料金の支払いを行っていた。
【０００３】
ところで、近年、有料道路においては、自動料金決済を行うシステム、すなわち、ＥＴＣシステム（Ｅｌｅｃｔｒｏｎｉｃ  Ｔｏｌｌ  Ｃｏｌｌｅｃｔｉｏｎ  Ｓｙｓｔｅｍ）が採用されている。このＥＴＣシステムは、有料道路の料金所にて車両を停止させることなく車両を通過させることができるシステムである（特許文献１参照）。さらに、プリペイド方式のＥＴＣシステムにおいては、携帯電話を用いて残高の積み増しを行うことが知られている（特許文献２参照）。
【特許文献１】特開２００２−３４２８００号公報
【特許文献２】特開２００１−１３４７９３号公報
【発明の開示】
【発明が解決しようとする課題】
【０００４】
このように、有料道路においては車両を停止することなく料金の支払いを行うことができるのに対して、駐車場においては駐車料金の支払いを行う車両出場時のみならず、車両入場時においても車両を一旦停止させなければならなかった。
【０００５】
ここで、有料道路におけるＥＴＣシステムをそのまま駐車場に適用することも考えられるが、駐車場を利用する前に駐車料金の支払いを可能とするための登録等が必要となり、特に利用頻度の少ない利用者にとっては煩わしいこととなる。
【０００６】
本発明は、このような事情に鑑みて為されたものであり、事前登録を必要とすることなく、入出場時に車両を一旦停止させることのない駐車場管理システムを提供することを目的とする。
【課題を解決するための手段】
【０００７】
そこで、本発明者はこの課題を解決すべく鋭意研究し、試行錯誤を重ねた結果、以下の第１〜第３の発明を完成するに至った。
【０００８】
（第１の駐車場管理システム）
第１の本発明の駐車場管理システムは、車両入場時に車両に搭載された車載送信機若しくは乗員が携帯する携帯品から送信されるＩＤ番号を受信する入場ＩＤ受信手段と、前記入場ＩＤ受信手段により受信した前記ＩＤ番号が既登録番号であるか否かの判定を行う登録判定手段と、前記登録判定手段により前記ＩＤ番号が既登録番号でないと判定された場合には前記ＩＤ番号を登録するＩＤ登録手段と、前記登録判定手段により前記ＩＤ番号が既登録番号であると判定された場合若しくは前記ＩＤ登録手段により前記ＩＤ番号が登録された場合には入場ゲートを開放する入場ゲート開放手段と、前記ＩＤ番号の入力により駐車料金を車両出場前に精算可能な事前精算手段と、車両出場時に前記車載送信機若しくは前記携帯品から送信される前記ＩＤ番号を受信する出場ＩＤ受信手段と、前記出場ＩＤ受信手段により受信した前記ＩＤ番号に基づき前記事前精算手段により精算済みであるか否かの判定を行う精算済み判定手段と、前記精算済み判定手段により精算済みであると判定された場合には出場ゲートを開放する出場ゲート開放手段と、を備えたことを特徴とする。
【０００９】
ここで、乗員が携帯する携帯品とは、携帯電話、クレジットカード、キャッシュカード、運転免許証、保険証などである。ただし、上述の乗員が携帯する携帯品は、ＩＤ番号を有しており、そのＩＤ番号を送信することができるものである必要がある。また、事前精算手段における事前精算可能な車両出場前とは、具体的には、車両が入場ゲートを通過した後から車両が出場ゲートに到達するまでの間である。さらに、詳細には、入場ＩＤ受信手段がＩＤ番号を受信した後から出場ＩＤ受信手段がＩＤ番号を受信するまでの間である。
【００１０】
（第２の駐車場管理システム）
第２の本発明の駐車場管理システムは、車両入場時に車両に搭載されたＥＴＣ車載器から送信されたＷＣＮ番号を受信する入場ＷＣＮ受信手段と、前記ＷＣＮ番号が既登録番号であるか否かの判定を行う登録判定手段と、前記登録判定手段により前記ＷＣＮ番号が既登録番号でないと判定された場合には乗員が備える携帯品の携帯ＩＤ番号を読み取ると共に前記ＷＣＮ番号に関連付けて前記携帯ＩＤ番号を記憶する携帯ＩＤ読取記憶手段と、前記登録判定手段により前記ＷＣＮ番号が既登録番号でないと判定された場合には前記ＷＣＮ番号を登録するＷＣＮ登録手段と、前記登録判定手段により前記ＷＣＮ番号が既登録番号であると判定された場合若しくは前記ＷＣＮ登録手段により前記ＷＣＮ番号が登録された場合には入場ゲートを開放する入場ゲート開放手段と、前記携帯ＩＤ番号の入力により駐車料金を車両出場前に精算可能な事前精算手段と、車両出場時に前記ＥＴＣ車載器から送信された前記ＷＣＮ番号を受信する出場ＷＣＮ受信手段と、前記出場ＷＣＮ受信手段により受信した前記ＷＣＮ番号に関連付けられた前記携帯ＩＤ番号に基づき前記事前精算手段により精算済みであるか否かの判定を行う精算済み判定手段と、前記精算済み判定手段により精算済みであると判定された場合には出場ゲートを開放する出場ゲート開放手段と、を備えたことを特徴とする。
【００１１】
ここで、ＥＴＣ車載器には、独自のＩＤ番号を有している。この独自のＩＤ番号をＷＣＮ（Ｗｉｒｅｌｅｓｓ  Ｃａｌｌ  Ｎｕｍｂｅｒ）という。つまり、第２の駐車場管理システムは、ＥＴＣ車載器のＷＣＮを受信することに加えて、携帯端末の携帯ＩＤ番号をも読取っている。そして、事前精算は、携帯ＩＤ番号を利用して精算することにしている。
【００１２】
（第３の駐車場管理システム）
第３の本発明の駐車場管理システムは、車両入場時に車両に搭載されたＥＴＣ車載器から送信されたＷＣＮ番号を受信する入場ＷＣＮ受信手段と、前記ＷＣＮ番号が既登録番号であるか否かの判定を行う登録判定手段と、前記登録判定手段により前記ＷＣＮ番号が既登録番号でないと判定された場合にはＩＤ番号が付された駐車券を発券する駐車券発券手段と、前記登録判定手段により前記ＷＣＮ番号が既登録番号でないと判定された場合には前記ＷＣＮ番号を登録するＷＣＮ登録手段と、前記登録判定手段により前記ＷＣＮ番号が既登録番号であると判定された場合若しくは前記ＷＣＮ登録手段により前記ＷＣＮ番号が登録された場合には入場ゲートを開放する入場ゲート開放手段と、ネットワークを介してアクセス可能な精算用ウェブサイトにて乗員が携帯する携帯端末により前記ＩＤ番号を入力して駐車料金を車両出場前に精算可能な事前精算手段と、車両出場時に前記ＥＴＣ車載器から送信された前記ＷＣＮ番号を受信する出場ＷＣＮ受信手段と、前記出場ＷＣＮ受信手段により受信した前記ＷＣＮ番号に関連付けられた前記ＩＤ番号に基づき前記事前精算手段により精算済みであるか否かの判定を行う精算済み判定手段と、前記精算済み判定手段により精算済みであると判定された場合には出場ゲートを開放する出場ゲート開放手段と、を備えたことを特徴とする。
【発明の効果】
【００１３】
（第１の駐車場管理システムの効果）
第１の本発明の駐車場管理システムによれば、車載送信機若しくは携帯品から送信されるＩＤ番号を受信することにより、車両を停止させることなく、駐車場を入出場することができる。具体的には、車両入場の場合には、ＩＤ番号を送信することができる車載送信機を車両に搭載するか、若しくは、ＩＤ番号を送信することができる携帯品を乗員が備えているのみで、自動的に入場ゲートが開放される。すなわち、車両を停止させることなく、入場ゲートを通過することができる。車両出場の場合には、上述した車載送信機若しくは携帯品を備えることに加えて、出場前に駐車料金の支払いを行っていることにより、自動的に出場ゲートが開放される。すなわち、車両を停止させることなく、出場ゲートを通過することができる。また、精算手段については、車両出場前に精算（事前精算）を行うようにしているので、有料道路におけるＥＴＣシステムのように予め登録しなくてもよい。
【００１４】
（第２の駐車場管理システムの効果）
第２の本発明の駐車場管理システムによれば、駐車場を初めて利用する利用者は、ＷＣＮが登録されていないので、車両入場の際に携帯ＩＤを読取らせる必要がある。従って、駐車場の１回目の利用の際には車両入場時に車両を一旦停止させることになり、駐車場の２回目以降の利用の際には車両入場時に車両を停止させることなく入場することができる。なお、車両出場時には、事前精算を行っていれば、車両を停止させることなく出場することができる。このように、１回目の車両入場時に携帯ＩＤの読取りを行うようにしているのは、事前精算の際に用いるＩＤ番号を登録するためである。つまり、第２の本発明の駐車場管理システムにおける事前精算は、携帯ＩＤを入力することにより精算を行うようにしている。
【００１５】
ここで、第１の本発明の駐車場管理システムにおいては、駐車場の１回目の利用のときから車両入場時に車両を停止させることなく入場することができる。これに対して、第２の本発明の駐車場管理システムは、１回目の車両入場時に携帯ＩＤをわざわざ読取らせるようにして、車両を一旦停止させている。これは、現時点においては、車載送信機のＩＤ番号として考えられるのは、ＥＴＣ車載器のＷＣＮであるが、このＥＴＣ車載器のＷＣＮを乗員が記憶している可能性はあまり高くないからである。さらに、現時点において、ＩＤ番号を送信可能な携帯品は存在しない。つまり、第１の本発明の駐車場管理システムのうち現時点において可能性のあるＥＴＣ車載器のＷＣＮのみにより事前精算が可能とすると、事前精算ができない駐車場利用者が存在することになり、車両出場時に車両を一旦停止させなければならなくなる。つまり、第１の本発明の駐車場管理システムのみでは、多くの駐車場利用者に対して車両を停止させることなく、出場することができない者が発生する。
【００１６】
そこで、第２の本発明の駐車場管理システムによれば、ＩＤ番号を送信可能な既存のＥＴＣ車載器を利用して、事前精算には利用者が比較的記憶している可能性の高い携帯端末のＩＤ番号を用いることにする。これにより、駐車場の１回目の利用の際には、入場時に車両を一旦停止させることになるが、事前精算を確実に行うことができるので、１回目の出場時、さらには２回目以降の入出場時には、より多くの利用者が車両を停止させることなく入出場することができる。
【００１７】
（第３の駐車場管理システムの効果）
第３の本発明の駐車場管理システムによれば、ネットワークを介してアクセス可能な精算用ウェブサイトにて携帯端末により事前精算が可能となることにより、駐車場設備に車両を駐車してから駐車場を出場するまでの間に、駐車場利用者はいつどこでも事前精算が可能となる。従来の駐車場管理システムの事前精算は、駐車場設備に配設された事前精算機を用いていた。つまり、従来は、事前精算するためには、駐車場設備まで戻ってきて所定の設置場所に行く必要があった。そして、駐車場設備内に配設された事前精算機に多くの駐車場利用者が並んでいる場合には、駐車時間が延長されることがしばしばあった。そこで、精算用ウェブサイトを利用して携帯端末により精算可能とすることにより、事前精算機に並ぶ必要もなく、駐車時間の延長を招くこともなくなる。また、事前精算を駐車場設備に駐車している車両の中で行うこともできるので、より簡便性が向上する。
【発明を実施するための最良の形態】
【００１８】
次に、実施形態を挙げ、本発明をより詳しく説明する。
【００１９】
（第１の駐車場管理システム）
上述した第１の駐車場管理システムにおける前記ＩＤ番号は、車両の搭載されたＥＴＣ車載器のＷＣＮ番号としてもよい。利用者の多くが、ＥＴＣ車載器を既に搭載している。このような既存の装置を利用することにより、新たな装置を設けることなく、駐車場管理システムを利用することができる。
【００２０】
また、前記携帯品は、乗員が携帯する携帯端末であるようにしてもよい。携帯端末とは、例えば、携帯電話などである。このように携帯端末を用いることにより、例えば、後述する事前精算をインターネット等のネットワークを介して精算することができる。事前精算の他にも、駐車場管理システムから乗員が携帯する携帯端末に対して種々の情報を提供することができる。
【００２１】
また、前記事前精算手段は、ネットワークを介してアクセス可能な精算用ウェブサイトにて前記携帯端末により前記駐車料金を精算可能であるようにしてもよい。このように、精算用ウェブサイトを利用することにより、駐車場設備に車両を駐車してから駐車場を出場するまでの間に、駐車場利用者はいつどこでも事前精算が可能となる。従来の駐車場管理システムの事前精算は、駐車場設備に配設された事前精算機を用いていた。つまり、従来は、事前精算するためには、駐車場設備まで戻ってくる必要があった。そして、駐車場設備内に配設された事前精算機に多くの駐車場利用者が並んでいる場合には、駐車時間が延長されることがしばしばあった。そこで、精算用ウェブサイトを利用して携帯端末により精算可能とすることにより、事前精算機に並ぶ必要もなく、駐車時間の延長を招くこともなくなる。また、事前精算を駐車場設備に駐車している車両の中で行うこともできるので、より簡便性が向上する。
【００２２】
なお、精算用ウェブサイトにおける事前精算は、例えば、クレジットカードによる決済、デビッドカードによる決済、プリベイドカードによる決済、電子マネーを利用可能なカード等による決済などにより行うことができる。
【００２３】
また、前記携帯端末は、前記ＩＤ番号の入力により決済可能な決済機能を有する携帯端末であるようにしてもよい。決済機能を有する携帯端末とすることにより、精算用ウェブサイトにアクセスする携帯端末のみを駐車場利用者が保有していればよい。つまり、精算用ウェブサイトにアクセスするために携帯端末を用い、決済するためにもその携帯端末のＩＤ番号を用いることができる。このような決済機能を有する携帯端末としては、例えば、携帯端末に電子マネーを利用可能なＩＣを搭載したものや、携帯端末にプリペイド機能を有するＩＣを搭載したものがある。なお、第１の駐車場管理システムにおいては、携帯端末は、入出場時にＩＤ番号を送信可能なものでなければならない。従って、この携帯端末は、ＩＤ番号を送信可能であって、さらに、決済機能を有するものである。
【００２４】
また、前記事前精算手段は、前記携帯端末から入力された前記ＩＤ番号を記憶するサイトＩＤ記憶手段を備えるようにしてもよい。これにより、例えば、駐車場利用者が２回目以降に同じ駐車場管理システムを利用する場合には、ＩＤ番号が記憶されているので、再度ＩＤ番号を入力することなく、事前精算等を行うことができる。事前精算手段は、携帯端末のＩＤ番号がサイトＩＤ記憶手段に記憶されていれば、どの携帯端末からアクセスされたかを認識することにより、ＩＤ番号を駐車場利用者が入力することなく読み込むことができる。また、駐車場利用者がパスワードなどを入力することにより、ＩＤ番号を読み込むことができるようにしてもよい。これにより、駐車場利用者が比較的記憶しにくいＩＤ番号を用いるのではなく、比較的記憶しやすいパスワードを入力させることにより、より確実に事前精算を行うことができる。
【００２５】
また、第１の駐車場管理システムは、さらに、ネットワークを介してアクセス可能なウェブサイトにて前記携帯端末により前記ＩＤ番号が入力されて入場時刻の問い合わせを受ける入場時刻問い合わせ受信手段と、前記ＩＤ番号に対応する車両の入場時刻を前記携帯端末へ送信する入場時刻送信手段と、を備えるようにしてもよい。従来は、常に駐車券を発券しており、駐車券に入場時刻が印字されていた。しかし、本発明のように駐車券を発券しない場合には、入場時刻を知ることができない。そこで、入場時刻の問い合わせを可能とすることにより、駐車場に車両を駐車している間、いつどこでも入場時刻を知ることができるようになる。つまり、駐車券がなくても入場時刻を知ることができるので、駐車場を有効に利用することができる。なお、入場時刻の問い合わせの際には、携帯端末からＩＤ番号を入力すること等により行うことができる。
【００２６】
また、第１の駐車場管理システムは、さらに、ネットワークを介してアクセス可能なウェブサイトにて前記携帯端末により前記ＩＤ番号が入力されて駐車時間の問い合わせを受ける駐車時間問い合わせ受信手段と、前記ＩＤ番号に対応する車両の駐車時間を算出する駐車時間算出手段と、算出された前記駐車時間を送信する駐車時間送信手段と、を備えるようにしてもよい。一般に、駐車料金は、時間に応じた料金となっている。しかし、従来のように駐車券に印字された入場時刻のみからでは、駐車場利用者自身が駐車時間を計算しなければならない。さらには、駐車券発券装置の時刻と駐車場利用者が所有している時計等の時刻とが異なる場合もある。このような場合には、駐車場利用者は、正確な駐車時間を知ることができない。そこで、本発明の駐車場管理システムによれば、システム自身により駐車時間を算出しているので、正確な駐車時間を知ることができ、駐車場利用者にとってより有効に駐車場を利用することができる。なお、駐車時間の問い合わせの際には、携帯端末からＩＤ番号を入力すること等により行うことができる。
【００２７】
また、第１の駐車場管理システムは、さらに、ネットワークを介してアクセス可能なウェブサイトにて前記携帯端末により前記ＩＤ番号若しくは前記携帯ＩＤ番号が入力されて駐車料金の問い合わせを受ける駐車料金問い合わせ受信手段と、前記駐車料金の問い合わせを受けた場合に前記ＩＤ番号若しくは前記携帯ＩＤ番号に対応する車両の駐車料金を算出する駐車料金算出手段と、算出された前記駐車料金を前記携帯端末へ送信する駐車料金送信手段と、を備えるようにしてもよい。従来の駐車場管理システムにおいては、入場時刻を知ることができるのみであるので、車両を駐車場に駐車している間に駐車場利用者が駐車料金を容易に知ることはできない。特に、駐車料金は、駐車場によって異なる場合があり、時間帯によって異なる場合もあるので、駐車料金は容易に知ることはできない。そこで、本発明の駐車場管理システムによれば、システム自身が駐車料金を算出しているので、駐車場利用者は駐車場を利用している間いつどこでも正確な駐車料金を知ることができる。
【００２８】
また、前記事前精算手段は、駐車料金割引カードのカード番号を入力して駐車料金を割引精算可能な割引精算手段を備えるようにしてもよい。また、前記事前精算手段は、駐車場内に配設された事前精算機としてもよい。事前精算は、駐車場内に配設された事前精算機を用いることにより、従来の設備に慣行化している駐車場利用者に対しても適切に要求を満たすことができる。このような場合であっても、入退場時には、車両を停止させることなく入退場を行うことができる効果は有している。
【００２９】
（第２の駐車場管理システム）
上述した第２の駐車場管理システムにおける前記携帯品は、乗員が携帯する携帯端末であるようにしてもよい。このように携帯端末を用いることにより、例えば、後述する事前精算をインターネット等のネットワークを介して精算可能となり、駐車場管理システムから乗員が携帯する携帯端末に対して種々の情報を提供可能となる。
【００３０】
また、前記事前精算手段は、ネットワークを介してアクセス可能な精算用ウェブサイトにて前記携帯端末により前記駐車料金を精算可能であるようにしてもよい。このように、精算用ウェブサイトを利用することにより、駐車場設備に車両を駐車してから駐車場を出場するまでの間に、駐車場利用者はいつどこでも事前精算が可能となる。また、精算用ウェブサイトを利用して携帯端末により精算可能とすることにより、事前精算機に並ぶ必要もなく、駐車時間の延長を招くこともなくなる。さらに、事前精算を駐車場設備に駐車している車両の中で行うこともできるので、より簡便性が向上する。
【００３１】
また、前記携帯端末は、前記携帯ＩＤ番号の入力により決済可能な決済機能を有する携帯端末であるようにしてもよい。決済機能を有する携帯端末とすることにより、精算用ウェブサイトにアクセスする携帯端末のみを駐車場利用者が保有していればよい。
【００３２】
また、前記事前精算手段は、前記携帯端末から入力された前記携帯ＩＤ番号を記憶するサイトＩＤ記憶手段を備えるようにしてもよい。これにより、例えば、駐車場利用者が２回目以降に同じ駐車場管理システムを利用する場合には、ＩＤ番号が記憶されているので、再度ＩＤ番号を入力することなく、事前精算等を行うことができる。
【００３３】
また、第２の駐車場管理システムは、さらに、ネットワークを介してアクセス可能なウェブサイトにて前記携帯端末により前記携帯ＩＤ番号が入力されて入場時刻の問い合わせを受ける入場時刻問い合わせ受信手段と、前記携帯ＩＤ番号に対応する車両の入場時刻を前記携帯端末へ送信する入場時刻送信手段と、を備えるようにしてもよい。これにより、駐車場に車両を駐車している間、いつどこでも入場時刻を知ることができるようになる。
【００３４】
また、第２の駐車場管理システムは、さらに、ネットワークを介してアクセス可能なウェブサイトにて前記携帯端末により前記携帯ＩＤ番号が入力されて駐車時間の問い合わせを受ける駐車時間問い合わせ受信手段と、前記携帯ＩＤ番号に対応する車両の駐車時間を算出する駐車時間算出手段と、算出された前記駐車時間を送信する駐車時間送信手段と、を備えるようにしてもよい。これにより、システム自身により駐車時間を算出しているので、正確な駐車時間を知ることができ、駐車場利用者にとってより有効に駐車場を利用することができる。
【００３５】
また、第２の駐車場管理システムは、さらに、ネットワークを介してアクセス可能なウェブサイトにて前記携帯端末により前記携帯ＩＤ番号が入力されて駐車料金の問い合わせを受ける駐車料金問い合わせ受信手段と、前記駐車料金の問い合わせを受けた場合に前記携帯ＩＤ番号に対応する車両の駐車料金を算出する駐車料金算出手段と、算出された前記駐車料金を前記携帯端末へ送信する駐車料金送信手段と、を備えるようにしてもよい。これにより、システム自身が駐車料金を算出しているので、駐車場利用者は駐車場を利用している間いつどこでも正確な駐車料金を知ることができる。
【００３６】
また、前記事前精算手段は、駐車料金割引カードのカード番号を入力して駐車料金を割引精算可能な割引精算手段を備えるようにしてもよい。また、前記事前精算手段は、駐車場内に配設された事前精算機としてもよい。事前精算は、駐車場内に配設された事前精算機を用いることにより、従来の設備に慣行化している駐車場利用者に対しても適切に要求を満たすことができる。このような場合であっても、入退場時には、車両を停止させることなく入退場を行うことができる効果は有している。
【００３７】
（第３の駐車場管理システム）
上述した第３の駐車場管理システムにおける前記携帯端末は、前記ＩＤ番号の入力により決済可能な決済機能を有する携帯端末であるようにしてもよい。決済機能を有する携帯端末とすることにより、精算用ウェブサイトにアクセスする携帯端末により同時に決済が可能となり、駐車場利用者による事前精算が非常に簡便になる。
【００３８】
また、前記事前精算手段は、前記携帯端末から入力された前記ＩＤ番号を記憶するサイトＩＤ記憶手段を備えるようにしてもよい。これにより、例えば、駐車場利用者が２回目以降に同じ駐車場管理システムを利用する場合には、ＩＤ番号が記憶されているので、再度ＩＤ番号を入力することなく、事前精算等を行うことができる。
【００３９】
また、第３の駐車場管理システムは、さらに、ネットワークを介してアクセス可能なウェブサイトにて前記携帯端末により前記ＩＤ番号が入力されて入場時刻の問い合わせを受ける入場時刻問い合わせ受信手段と、前記ＩＤ番号に対応する車両の入場時刻を前記携帯端末へ送信する入場時刻送信手段と、を備えるようにしてもよい。
【００４０】
また、第３の駐車場管理システムは、さらに、ネットワークを介してアクセス可能なウェブサイトにて前記携帯端末により前記ＩＤ番号が入力されて駐車時間の問い合わせを受ける駐車時間問い合わせ受信手段と、前記ＩＤ番号に対応する車両の駐車時間を算出する駐車時間算出手段と、算出された前記駐車時間を送信する駐車時間送信手段と、を備えるようにしてもよい。
【００４１】
また、第３の駐車場管理システムは、さらに、ネットワークを介してアクセス可能なウェブサイトにて前記携帯端末により前記ＩＤ番号が入力されて駐車料金の問い合わせを受ける駐車料金問い合わせ受信手段と、前記駐車料金の問い合わせを受けた場合に前記ＩＤ番号に対応する車両の駐車料金を算出する駐車料金算出手段と、算出された前記駐車料金を前記携帯端末へ送信する駐車料金送信手段と、を備えるようにしてもよい。
【００４２】
これらの入場時刻、駐車時間、及び駐車料金の問い合わせを可能とすることによる効果は、上述の第１及び第２の駐車場管理システムにおけるこれらの問い合わせを可能とすることによる効果と同様である。
【００４３】
また、前記事前精算手段は、駐車料金割引カードのカード番号を入力して駐車料金を割引精算可能な割引精算手段を備えるようにしてもよい。また、前記事前精算手段は、駐車場内に配設された事前精算機であるようにしてもよい。
【実施例】
【００４４】
次に、実施例を挙げて、本発明をより具体的に図面を参照して説明する。
【００４５】
（駐車場管理システムの構成）
まず、本実施例における駐車場管理システムを含む構成について図１〜図３を参照して説明する。図１は、駐車場管理システム１を含む全体環境を示す図である。図２は、駐車場管理システム１の詳細構成を示すブロック図である。図３は、事前精算照会部１８の詳細構成を示すブロック図である。
【００４６】
図１に示すように、駐車場管理システム１を含む環境は、駐車場管理システム１と、携帯電話事業者２と、金融事業者３とがインターネット網を介して接続されている。駐車場管理システム１は、少なくとも、入場ゲート１２と、出場ゲート１３と、駐車場設備とを備えている。つまり、駐車場管理システム１は、概略としては、車両が入場ゲート１２を通過して駐車場設備に車両を駐車させ、出場ゲート１３を通過して駐車場から車両を出場させる。携帯電話事業者２は、駐車場利用者が携帯電話（携帯端末）を用いてインターネットにアクセスした場合に、携帯電話をインターネットにアクセスを可能とするために仲介している。金融事業者３は、後述する駐車料金の精算に際して決済を行っている。
【００４７】
ここで、本実施例における前提として、駐車場管理システムを利用する車両は、ＥＴＣ車載器を搭載している必要がある。また、ＥＴＣ車載器には、ＷＣＮ（Ｗｉｒｅｌｅｓｓ  Ｃａｌｌ  Ｎｕｍｂｅｒ）というＩＤ番号が登録されている。また、通常、ＥＴＣ車載器を用いて有料道路を利用する際には、事前登録したＥＴＣカードを挿入する必要があるが、本実施例における駐車場管理システムにおいては、このＥＴＣカードは必要としない。
【００４８】
次に、駐車場管理システム１の詳細な構成は、図２に示すように、制御部１１と、入場ゲート１２と、出場ゲート１３とから構成される。入場ゲート１２は、駐車場への車両入場場所に配設されたゲートである。従って、この入場ゲート１２が閉成している場合には車両は駐車場に入場することができず、入場ゲート１２が開放された場合にのみ車両は駐車場に入場することができる。また、出場ゲート１３は、駐車場から駐車場外への車両出場場所に配設されたゲートである。従って、この出場ゲート１３が閉成している場合には車両は駐車場外に出場することができず、出場ゲート１３が開放された場合にのみ車両は駐車場外へ出場することができる。
【００４９】
制御部１１は、入場ＷＣＮ受信部２１と、登録判定部２２と、携帯ＩＤ，駐車券ＩＤ読取記憶部２３と、ＷＣＮ登録部２４と、入場ゲート開放部２５と、入場時刻記憶部２６と、事前精算照会部２７と、出場ＷＣＮ受信部２８と、精算済み判定部２９と、出場ゲート開放部３０とから構成される。
【００５０】
入場ＷＣＮ受信部（入場ＩＤ受信手段、入場ＷＣＮ受信手段）２１は、入場ゲート１２付近に設置されており、車両が入場する時に車両に搭載されたＥＴＣ車載器から送信されたＷＣＮを受信する。詳細には、入場ＷＣＮ受信部２１は、駐車場を利用する車両が入場ゲート１２に近づいた場合に、ＷＣＮの送信を促すＥＴＣコマンドを車両に対して送信する。そして、入場ＷＣＮ受信部２１は、ＥＴＣコマンドを受信した車両のＥＴＣ車載器が送信するＷＣＮを受信する。
【００５１】
登録判定部（登録判定手段）２２は、入場ＷＣＮ受信部２１が受信したＷＣＮが駐車場管理システムに既に登録された番号（既登録番号）であるか否かの判定を行う。携帯ＩＤ，駐車券ＩＤ読取記憶部（携帯ＩＤ読取記憶手段、駐車券発券手段）２３は、入場ゲート１２の前に配設されており、携帯電話をかざすか、若しくは、駐車券を発券するかの選択を行うことができる。駐車場利用者が携帯電話をかざす方を選択した場合には、駐車場利用者がかざした携帯電話のＩＤ番号（携帯ＩＤ番号）を読取る。さらに、携帯ＩＤ，駐車券ＩＤ読取記憶部２３は、駐車場利用者が携帯電話をかざした場合に、その携帯電話のＩＤ番号をＷＣＮに関連づけて記憶している。一方、駐車場利用者が駐車券発券を選択した場合には、携帯ＩＤ，駐車券ＩＤ読取記憶部２３は、駐車券を発券した上で、駐車券のＩＤ番号（駐車券ＩＤ）をＷＣＮに関連付けて記憶している。
【００５２】
ＷＣＮ登録部（ＩＤ登録手段、ＷＣＮ登録手段）２４は、入場ＷＣＮ受信部２１により受信したＷＣＮを登録する。入場ゲート開放部（入場ゲート開放手段）２５は、入場ゲート１２を開放するように制御している。この入場ゲート開放部２５は、登録判定部２２によりＷＣＮが既登録番号である場合、及び、ＷＣＮ登録部２４によりＷＣＮが登録された場合に、入場ゲート１２を開放するように制御する。
【００５３】
入場時刻記憶部２６は、入場ゲート２５が入場ゲート１２を開放するように制御した時刻を記憶している。なお、この入場時刻記憶部２６は、ＷＣＮに関連付けて入場時刻を記憶している。すなわち、駐車場利用者が駐車場に入場した時の時刻を車両毎に記憶している。事前精算照会部２７は、駐車場利用者が車両入場してから車両出場するまでに、駐車料金の事前精算を行っている。さらに、入場時刻、駐車時間、及び駐車料金についての問い合わせが合った場合に、それらの照会をも行っている。この事前精算照会部２７の詳細な構成については、後述する。
【００５４】
出場ＷＣＮ受信部（出場ＩＤ受信手段、出場ＷＣＮ受信手段）２８は、出場ゲート１３付近に設置されており、車両が出場する時に車両に搭載されたＥＴＣ車載器から送信されたＷＣＮを受信する。詳細には、出場ＷＣＮ受信部２８は、駐車場を利用する車両が出場ゲート１３に近づいた場合に、ＷＣＮの送信を促すＥＴＣコマンドを車両に対して送信する。そして、出場ＷＣＮ受信部２８は、ＥＴＣコマンドを受信した車両のＥＴＣ車載器が送信するＷＣＮを受信する。
【００５５】
精算済み判定部（精算済み判定手段）２９は、出場ＷＣＮ受信部２８により受信したＷＣＮに関連付けられた携帯ＩＤ若しくは駐車券ＩＤに基づき事前精算照会部２７にて精算済みであるか否かの判定を行う。具体的には、精算済み判定部２９は、出場ＷＣＮ受信部２８により受信したＷＣＮを読み込む。続いて、読み込まれたＷＣＮに関連付けられた携帯ＩＤ又は駐車券ＩＤを携帯ＩＤ，駐車券ＩＤ読取記憶部２３から読み込む。そして、読み込まれた携帯ＩＤ又は駐車券ＩＤに基づき、事前精算照会部２７にて精算済みであるか否かを判定する。出場ゲート開放部（出場ゲート開放手段）３０は、出場ゲート１３を開放するように制御している。この出場ゲート開放部３０は、精算済み判定部２９により精算済みであると判定された場合に出場ゲートを開放するように制御する。
【００５６】
事前精算照会部２７は、携帯ＩＤ等入力部５１と、ＷＣＮ，携帯ＩＤ，駐車券ＩＤ読込部５２と、入場時刻読込部５３と、駐車時間算出部５４と、割引カード番号入力部５５と、駐車料金算出部５６と、決済指示入力部５７と、クレジット番号入力部５８と、決済部５９と、決済処理通知部６０とから構成される。
【００５７】
携帯ＩＤ等入力部（入場時刻問い合わせ受信手段、駐車時間問い合わせ受信手段、駐車料金問い合わせ受信手段）５１は、駐車場利用者が携帯電話から入力された携帯ＩＤ等を入力し記憶している。ここで、駐車場利用者による携帯ＩＤ等入力部５１への携帯ＩＤ等の入力は、駐車場利用者が携帯電話によりインターネットを介してアクセスした駐車場管理システムのウェブサイトにて行われる。つまり、駐車場利用者が、携帯電話を用いて携帯電話事業者２を仲介してインターネットに接続して、駐車場管理システムのウェブサイトにアクセスする。そして、アクセスされた駐車場管理システムのウェブサイトの携帯ＩＤ等の入力画面において、駐車場利用者が携帯ＩＤ等を入力する。なお、携帯ＩＤ等とは、本実施例においては、携帯ＩＤ、又は、駐車券ＩＤである。また、必要に応じて、携帯ＩＤ等として、ＥＴＣ車載器のＷＣＮを含めてもよい。なお、携帯ＩＤ等入力部５１は、駐車場利用者が事前精算を行う場合、入場時刻，駐車時間，駐車料金の問い合わせを行う場合に用いられる。さらに、携帯ＩＤ等入力部（サイトＩＤ記憶手段）５１は、一度入力された携帯ＩＤ等は記憶している。従って、２回目以降にこのウェブサイトにアクセスする場合には、再度携帯ＩＤを入力する必要はない。
【００５８】
ＷＣＮ，携帯ＩＤ，駐車券ＩＤ読込部５２は、携帯ＩＤ等入力部５１に入力された携帯ＩＤ等に基づき、この携帯ＩＤ等に関連付けられたＷＣＮを読み込んでいる。このとき、携帯ＩＤ，駐車券ＩＤ読取記憶部２３及びＷＣＮ登録部２４に記憶されている情報を参照して行われる。
【００５９】
入場時刻読込部５３は、ＷＣＮ，携帯ＩＤ，駐車券ＩＤ読込部５２により読み込まれたＷＣＮに関連付けられた入場時刻を入場時刻記憶部２６から読み込む。そして、入場時刻読込部５３は、駐車場利用者が入場時刻の問い合わせを行った場合には、インターネットを介し、さらに携帯電話事業者２を仲介して、入場時刻を駐車場利用者に送信する。また、入場時刻読込部５３は、駐車場利用者が事前精算を行う場合にも、インターネット及び携帯電話事業者２を介して、入場時刻を駐車場利用者に送信する。
【００６０】
駐車時間算出部（駐車時間算出手段）５４は、入場時刻読込部５３により読み込まれた入場時刻及び現在時刻に基づき、駐車時間を算出する。この現在時刻とは、駐車場管理システム１自身が有している時刻に基づき得られる現在時刻である。そして、駐車時間算出部５４は、駐車場利用者が駐車時間の問い合わせを行った場合には、インターネットを介し、さらに携帯電話事業者２を仲介して、駐車時間を駐車場利用者に送信する。また、駐車時間算出部５４は、駐車場利用者が事前精算を行う場合にも、インターネット及び携帯電話事業者２を介して、駐車時間を駐車場利用者に送信する。
【００６１】
割引カード番号入力部（割引精算手段）５５は、駐車場利用者が携帯電話から入力された割引カード番号（駐車料金割引カード番号）を入力し記憶している。ここで、駐車場利用者による割引カードの入力は、上述した駐車場利用者による携帯ＩＤ等入力部５１への携帯ＩＤ等の入力と、ほぼ同様である。すなわち、駐車場利用者が携帯電話によりインターネットを介してアクセスした駐車場管理システムのウェブサイトの割引カード番号入力画面にて行われる。
【００６２】
駐車料金算出部（駐車料金算出手段、割引精算手段）５６は、駐車時間算出部５４により算出された駐車時間と、予め記憶された時間当たりの駐車料金と、割引カード番号入力部５５に入力された割引カード番号に対応する駐車料金割引料金とに基づき、駐車料金を算出する。この算出される駐車料金は、携帯ＩＤ等入力部５１に携帯ＩＤ等が入力される時刻における駐車料金である。そして、駐車料金算出部５６は、駐車場利用者が駐車料金の問い合わせを行った場合には、インターネットを介し、さらに携帯電話事業者２を仲介して、駐車料金を駐車場利用者に送信する。また、駐車料金算出部５６は、駐車場利用者が事前精算を行う場合にも、インターネット及び携帯電話事業者２を介して、駐車料金を駐車場利用者に送信する。
【００６３】
決済指示入力部５７は、駐車場利用者が携帯電話から入力された決済指示を入力している。具体的には、駐車場利用者が事前精算を行う場合であって、携帯電話が備える決済機能を用いて決済する際に、駐車料金を確認した上で決済指示入力を行うことにより決済指示入力部５７に決済指示が入力される。
【００６４】
クレジット番号入力部５８は、駐車場利用者が携帯電話から入力されたクレジット番号等を入力し記憶している。クレジット番号等とは、クレジット番号、デビッドカード番号等の駐車料金の支払いを可能とする番号である。具体的には、駐車場利用者が事前精算を行う場合であって、クレジットカード等を用いて決済する際に、駐車料金を確認した上でクレジット番号等の入力を行うことによりクレジット番号入力部５８にクレジット番号が入力される。
【００６５】
決済部５９は、決済指示入力部５７に決済指示が入力された場合、若しくは、クレジット番号入力部５８にクレジット番号等が入力された場合には、駐車料金算出部５６にて算出された駐車料金の決済が可能であるか否かを金融事業者３に問い合わせて、決済可能であるか否かを判定する。そして、決済可能であると判定された場合には、決済部５９は金融事業者３に決済を行わせ、決済完了情報を記憶する。一方、決済不可能であると判定された場合には、決済不可能情報を記憶する。なお、決済部５９による金融事業者３への問い合わせ及び金融事業者からの決済可能判定情報の受信は、インターネットを介して行われる。決済処理通知部６０は、決済部５９が記憶している決済完了情報若しくは決済不可能情報をインターネット及び携帯電話事業者２を介して通知する。
【００６６】
（駐車場管理システムの動作）
次に、駐車場管理システムの動作について図４〜図７のフローチャートを参照して説明する。図４は、車両入場時における駐車場管理システムの動作を示すフローチャートである。図５は、車両駐車時の各種情報問い合わせにおける駐車場管理システムの動作を示すフローチャートである。図６は、事前精算処理における駐車場管理システムの動作を示すフローチャートである。図７は、車両出場時における駐車場管理システムの動作を示すフローチャートである。
【００６７】
（車両入場時の処理）
まず、車両入場時の処理について図４を参照して説明する。図４に示すように、車両入場時には、車両が入場ゲート１２から所定距離離れた位置に到達した場合に、入場ＷＣＮ受信部２１がＥＴＣコマンドを車両に対して送信する（ステップＳ１）。そして、送信されたＥＴＣコマンドは、車両のＥＴＣ車載器が受信する（ステップＳ２）。続いて、車両のＥＴＣ車載器は、ＥＴＣコマンドを受信した後には、ＥＴＣ車載器固有のＷＣＮを入場ＷＣＮ受信部２１に対して送信する（ステップＳ３）。ＥＴＣ車載器から送信されたＷＣＮは、入場ＷＣＮ受信部２１が受信する（ステップＳ４）。
【００６８】
続いて、登録判定部２２が、入場ＷＣＮ受信部２１により受信されたＷＣＮが既登録番号であるか否かの判定を行う（ステップＳ５）。駐車場を初めて利用する駐車場利用者の車両に搭載されたＥＴＣ車載器のＷＣＮは、未だ登録されていない。従って、初めての駐車場利用時には、受信したＷＣＮが既登録番号でないと判定される（ステップＳ５：Ｎｏ）。ＷＣＮが未登録番号である場合には、携帯電話が携帯ＩＤ，駐車券ＩＤ読取記憶部２３に配置されたか否かを判定する（ステップＳ６）。携帯電話が携帯ＩＤ，駐車券ＩＤ読取記憶部２３に配置された場合には（ステップＳ７）、携帯電話が有する携帯ＩＤを読取る（ステップＳ８）。そして、読取られた携帯ＩＤを携帯ＩＤ，駐車券ＩＤ読取記憶部２３が記憶する。続いて、携帯ＩＤが記憶された後には、ＷＣＮ登録部２４にてＷＣＮを登録する（ステップＳ９）。続いて、携帯ＩＤ，駐車券ＩＤ読取記憶部２３にて、ＷＣＮと携帯ＩＤとを関連付けて記憶する（ステップＳ１０）。その後、入場ゲート開放部２５により入場ゲート１２を開放するように制御する（ステップＳ１４）。そして、このときの入場時刻を入場時刻記憶部２６に記憶する（ステップＳ１１）。そして、処理を終了する。
【００６９】
一方、ステップＳ６において、ＷＣＮを受信してから所定時間経過するまでの間に、携帯電話が携帯ＩＤ，駐車券ＩＤ読取記憶部２３に配置されない場合には、携帯ＩＤ，駐車券ＩＤ読取記憶部２３により駐車券が発券される（ステップＳ１１）。このとき、携帯ＩＤ，駐車券ＩＤ読取記憶部２３においては、駐車券ＩＤを記憶する。なお、駐車券には、駐車券ＩＤが印字されている。そして、発券された駐車券を駐車場利用者が取得すると、ＷＣＮ登録部２４にてＷＣＮを登録する（ステップＳ１２）。続いて、携帯ＩＤ，駐車券ＩＤ読取記憶部２３にて、ＷＣＮと駐車券ＩＤとを関連付けて記憶する（ステップＳ１３）。その後、入場ゲート開放部２５により入場ゲート１２を開放するように制御されて、入場ゲート１２が開放される（ステップＳ１４）。そして、このときの入場時刻を入場時刻記憶部２６に記憶する（ステップＳ１１）。そして、処理を終了する。
【００７０】
一方、ステップＳ５において、受信したＷＣＮが既登録番号である場合には（ステップＳ５：Ｙｅｓ）、入場ゲート開放部２５により入場ゲート１２を開放するように制御されて、入場ゲート１２が開放される（ステップＳ１４）。ここで、受信したＷＣＮが既登録番号である場合とは、駐車場を１回利用している場合である。つまり、駐車場の利用回数が２回目以降は、携帯電話を入場ゲートに配置することは必要ない。従って、駐車場の利用回数が２回目以降の場合には、車両を停止させることなく、入場ゲートを通過することができる。
【００７１】
（各種情報問い合わせの処理）
次に、各種情報の問い合わせの処理について図５を参照して説明する。ここで、問い合わせが可能な各種情報としては、入場時刻、駐車時間、及び駐車料金である。入場時刻の問い合わせ処理については、図５の上段に示すように、まず、駐車場利用者が携帯電話により入場時刻の問い合わせを行う（ステップＳ２１）。この入場時刻の問い合わせは、駐車場利用者がインターネット及び携帯電話事業者を介して駐車場管理システムのウェブサイトにアクセスすることにより行う。具体的には、入場時刻の問い合わせは、入場時刻問い合わせ指示の入力と、携帯ＩＤ又は駐車券ＩＤの入力を行う。
【００７２】
続いて、入場時刻の問い合わせがあった場合には、駐車場管理システムの携帯ＩＤ等入力部５１がその問い合わせを受け付けて、携帯ＩＤ又は駐車券ＩＤを記憶する（ステップＳ２２）。そして、ＷＣＮ，携帯ＩＤ，駐車券ＩＤ読込部５２にて、入力された携帯ＩＤ又は駐車券ＩＤに関連付けられたＷＣＮを読込む。さらに、入場時刻読込部５３にて、読み込まれたＷＣＮに関連付けられた入場時刻を読み込む。そして、この入場時刻読込部５３が、読み込まれた入場時刻を問い合わせがあった携帯電話へ送信する（ステップＳ２３）。続いて、送信された入場時刻を駐車場利用者の携帯電話が受信する（ステップＳ２４）。そして、処理を終了する。
【００７３】
駐車時間の問い合わせ処理については、図５の中段に示すように、まず、駐車場利用者が携帯電話により駐車時間の問い合わせを行う（ステップＳ３１）。この駐車時間の問い合わせは、駐車場利用者がインターネット及び携帯電話事業者を介して駐車場管理システムのウェブサイトにアクセスすることにより行う。具体的には、駐車時間の問い合わせは、駐車時間問い合わせ指示の入力と、携帯ＩＤ又は駐車券ＩＤの入力を行う。
【００７４】
続いて、駐車時間の問い合わせがあった場合には、駐車場管理システムの携帯ＩＤ等入力部５１がその問い合わせを受け付けて、携帯ＩＤ又は駐車券ＩＤを記憶する（ステップＳ２２）。そして、ＷＣＮ，携帯ＩＤ，駐車券ＩＤ読込部５２にて、入力された携帯ＩＤ又は駐車券ＩＤに関連付けられたＷＣＮを読込む。さらに、入場時刻読込部５３にて、読み込まれたＷＣＮに関連付けられた入場時刻を読み込む。そして、駐車時間算出部５４にて、現在時刻と入場時刻とにより駐車時間を算出する（ステップＳ３２）。そして、この駐車時間算出部５４が、算出した駐車時間を問い合わせのあった携帯電話へ送信される（ステップＳ３４）。続いて、送信された駐車時間を駐車場利用者の携帯電話が受信する（ステップＳ３５）。そして、処理を終了する。
【００７５】
駐車料金の問い合わせ処理については、図５の下段に示すように、まず、駐車場利用者が携帯電話により駐車料金の問い合わせを行う（ステップＳ４１）。この駐車料金の問い合わせは、駐車場利用者がインターネット及び携帯電話事業者を介して駐車場管理システムのウェブサイトにアクセスすることにより行う。具体的には、駐車料金の問い合わせは、駐車料金問い合わせ指示の入力と、携帯ＩＤ又は駐車券ＩＤの入力を行う。さらに、割引カードを有している場合には、割引カード番号の入力を行う。
【００７６】
続いて、駐車料金の問い合わせがあった場合には、駐車場管理システムの携帯ＩＤ等入力部５１がその問い合わせを受け付けて、携帯ＩＤ又は駐車券ＩＤを記憶する（ステップＳ４２）。さらに、割引カード番号の入力があった場合には、割引カード番号を記憶する（ステップＳ４２）。そして、ＷＣＮ，携帯ＩＤ，駐車券ＩＤ読込部５２にて、入力された携帯ＩＤ又は駐車券ＩＤに関連付けられたＷＣＮを読込む。さらに、入場時刻読込部５３にて、読み込まれたＷＣＮに関連付けられた入場時刻を読み込む。そして、駐車時間算出部５４にて、現在時刻と入場時刻とにより駐車時間を算出する。さらに、駐車料金算出部５６にて、駐車時間と割引カード番号とに基づき、駐車料金を算出する（ステップＳ４３）。そして、この駐車料金算出部５６が、算出した駐車料金を問い合わせのあった携帯電話へ送信される（ステップＳ４４）。続いて、送信された駐車料金を駐車場利用者の携帯電話が受信する（ステップＳ４５）。そして、処理を終了する。
【００７７】
（事前精算処理）
次に、事前精算処理について図６を参照して説明する。ここで、事前精算処理は、携帯電話を用いてインターネットを介して行うこともでき、駐車場設備内に配設された事前精算機により行うこともできる。図６に示すように、まず、駐車場利用者が事前精算開始処理を行う（ステップＳ５１）。ここで、携帯電話による事前精算処理の場合には、駐車場利用者がインターネット及び携帯電話事業者を介して駐車場管理システムのウェブサイトにアクセスすることにより行う。一方、駐車場設備内の事前精算機による事前精算処理の場合には、例えば、駐車場利用者が事前精算機の開始ボタンを押すこと等により行う。
【００７８】
続いて、携帯電話による事前精算処理の場合には、駐車場管理システムのウェブサイトにて、ＷＣＮ、携帯ＩＤ、駐車券ＩＤの入力画面が表示される（ステップＳ５２）。一方、駐車場設備内の事前精算機による事前精算処理の場合には、事前精算機の表示画面にＷＣＮ、携帯ＩＤ、駐車券ＩＤの入力画面が表示される（ステップＳ５２）。
【００７９】
続いて、駐車場利用者が、携帯電話若しくは事前精算機により、ＷＣＮ、携帯ＩＤ、駐車券ＩＤの入力を行う（ステップＳ５３）。さらに、駐車場利用者が駐車料金割引カードを所有している場合には、その割引カードのカード番号を携帯電話若しくは事前精算機により入力する（ステップＳ５４）。
【００８０】
続いて、駐車場管理システムにて、携帯電話若しくは事前精算機により入力された携帯ＩＤや割引カード番号等に基づき、駐車料金を算出する（ステップＳ５５）。この駐車料金の算出は、上述した駐車料金の問い合わせの処理におけるステップＳ４２の駐車料金問い合わせ処理及びステップＳ４３の駐車料金の算出処理と同様の処理が行われる。
【００８１】
続いて、携帯電話による事前精算処理の場合には、駐車場管理システムのウェブサイトにて、決済画面が表示される（ステップＳ５６）。一方、駐車場設備内の事前精算機による事前精算処理の場合には、事前精算機の表示画面に決済画面が表示される（ステップＳ５６）。続いて、駐車場利用者が、携帯電話若しくは事前精算機により、決済指示若しくはクレジット番号等の入力を行う（ステップＳ５７）。具体的には、携帯電話による事前精算処理の場合であって、その携帯電話が決済機能を有する場合には、駐車場管理システムのウェブサイトの決済画面にて決済指示を入力することができる。つまり、携帯電話の決済機能を利用した決済を行う場合に、このように行う。一方、携帯電話による事前精算処理の場合であって、その携帯電話が決済機能を有していない場合には、ウェブサイトにてクレジットカードやデビッドカードのカード番号を入力する。他方、事前精算機による事前精算処理の場合には、事前精算機の表示画面にてクレジットカードやデビッドカード等のカード番号を入力する。また、事前精算機による事前精算処理の場合であって、現金により事前精算を行う場合には、事前精算機に現金を投入する（ステップＳ５７）。
【００８２】
続いて、携帯電話により決済指示の入力が行われた場合には、駐車場管理システムは決済処理を開始する（ステップＳ５８）。具体的には、入力された決済指示が決済指示入力部５７に入力され、決済部５９にて携帯電話の決済機能により決済可能であるか否かの判定がされる。そして、決済可能であると判定された場合には、決済部５９は金融事業者３に決済を行わせて、決済完了情報を記憶する。また、携帯電話若しくは事前精算機によりクレジットカード番号等の入力が行われた場合には、クレジット番号入力部５８にクレジットカード番号等が入力されて記憶される。そして、決済部５９にて、入力されたクレジットカード番号等により決済可能であるか否かの判定がされる。そして、決済可能であると判定された場合には、決済部５９は金融事業者３に決済を行わせて、決済完了情報を記憶する。また、事前精算機により現金が投入された場合には、適切な金額の現金が投入されたか否かを判定し、適切な金額の現金が投入された場合には、事前精算機により決済を行い、決済完了情報を記憶する。一方、決済不可能であると判定された場合には、決済部５９が決済不可能情報を記憶する。
【００８３】
続いて、決済部５９が決済完了情報を記憶している場合には（ステップＳ５９：Ｙｅｓ）、決済完了通知処理を行う（ステップＳ６０）。この決済完了通知処理は、決済処理通知部６０により、決済完了したことを携帯電話若しくは事前精算機に通知を行う処理である。そして、携帯電話若しくは事前精算機にて、通知された決済完了通知が表示画面に表示される（ステップＳ６１）。そして、処理を終了する。一方、決済部５９が決済不可能情報を記憶している場合には（ステップＳ５９：Ｎｏ）、決済不可能通知処理を行う（ステップＳ６２）。そして、携帯電話若しくは事前精算機にて、通知された決済不可能通知が表示画面に表示される（ステップＳ６３）。そして、処理を終了する。
【００８４】
（車両出場時の処理）
次に、車両出場時の処理について図７を参照して説明する。図７に示すように、車両出場時には、車両が出場ゲート１３から所定距離離れた位置に到達した場合に、出場ＷＣＮ受信部２８がＥＴＣコマンドを車両に対して送信する（ステップＳ７１）。そして、送信されたＥＴＣコマンドは、車両のＥＴＣ車載器が受信する（ステップＳ７２）。続いて、車両のＥＴＣ車載器は、ＥＴＣコマンドを受信した後には、ＥＴＣ車載器固有のＷＣＮを出場ＷＣＮ受信部２８に対して送信する（ステップＳ７３）。ＥＴＣ車載器から送信されたＷＣＮは、出場ＷＣＮ受信部２８が受信する（ステップＳ７４）。
【００８５】
続いて、精算済み判定部２９により、出場ＷＣＮ受信部２８が受信したＷＣＮに関連付けられた携帯ＩＤ又は駐車券ＩＤを携帯ＩＤ，駐車券ＩＤ読取記憶部２３から読み込む（ステップＳ７５））。続いて、精算済み判定部２９にて、読み込まれた携帯ＩＤ又は駐車券ＩＤに基づき事前精算済みであるか否かを判定する（ステップＳ７６）。具体的には、事前精算照会部２７の決済部５９が決済完了情報を記憶している場合には、精算済みと判定する。一方、決済部５９が決済不可能情報を記憶している場合には、精算済みでないと判定する。
【００８６】
続いて、精算済み判定部２９により精算済みであると判定された場合には（ステップＳ７６：Ｙｅｓ）、出場ゲート開放部３０により出場ゲート１３を開放するように制御されて、出場ゲート１３が開放される（ステップＳ７７）。一方、精算済み判定部２９により精算済みでないと判定された場合には（ステップＳ７６：Ｎｏ）、出場ゲート１３にて精算処理を行う。この精算処理は、携帯ＩＤ又は駐車券ＩＤの入力若しくは駐車券の挿入により、現金またはクレジットカード等により行う。そして、精算処理が完了した後に、出場ゲート開放部３０により出場ゲート１３を開放するように制御されて、出場ゲート１３が開放される（ステップＳ７７）。
【図面の簡単な説明】
【００８７】
【図１】駐車場管理システムを含む全体環境を示す図である。
【図２】駐車場管理システムの詳細構成を示すブロック図である。
【図３】事前精算照会部の構成を示すブロック図である。
【図４】車両入場時における駐車場管理システムの動作を示すフローチャートである。
【図５】車両駐車時の各種情報問い合わせにおける駐車場管理システムの動作を示すフローチャートである。
【図６】事前精算処理における駐車場管理システムの動作を示すフローチャートである。
【図７】車両出場時における駐車場管理システムの動作を示すフローチャートである。
【符号の説明】
【００８８】
１：駐車場管理システム、  ２：携帯電話事業者、  ３：金融事業者、  １２：入場ゲート、  １３：出場ゲート
【図１】
2005227996.tif 000003
【図２】
2005227996.tif 000004
【図３】
2005227996.tif 000005
【図４】
2005227996.tif 000006
【図５】
2005227996.tif 000007
【図６】
2005227996.tif 000008
【図７】
2005227996.tif 000009